(57)【要約】【課題】脱いだ後も体型補整効果を維持できる、すなわち体型を変更し改善できる下着を提供する。【解決手段】５１１〜５６０デニールの弾性糸から構成されたハード地、４６０〜５１０デニールの弾性糸で構成されたミディアム地、及び３００〜４００デニールの弾性糸で構成されたソフト地のうち、２種以上を組み合わせることにより、伸縮度の異なる複数の伸縮性生地からなる下着であって、伸縮パワーを付与して体型をへこませたい部分にハード地及び／またはミディアム地を配し、体型に丸みを帯びさせたり、ゆとりを持たせたい部分にソフト地を配する。【選択図】図１
0003124205.tif 000002
【実用新案登録請求の範囲】
【請求項１】
５１１〜５６０デニールの弾性糸で構成されたハード地、４６０〜５１０デニールの弾性糸で構成されたミディアム地、及び３００〜４００デニールの弾性糸で構成されたソフト地のうち、２種以上を組み合わせることにより、伸縮度の異なる複数の伸縮性生地からなる下着であって、体型をへこませたい部分に前記ハード地及び／またはミディアム地を配し、体型に丸みを帯びさせるか又はゆとりを持たせたい部分に前記ソフト地を配したことを特徴とする体型変化機能を有する下着。
【請求項２】
トップ用の下着であって、胴部にハード地が配され、後見頃の胴部よりも上方の背部にソフト地が配されたことを特徴とする請求項１記載の体型変化機能を有する下着。
【請求項３】
ボトム用の下着であって、ヒップトップ部にソフト地が配され、後見頃の足ぐり部にハード地またはミディアム地が配されたことを特徴とする請求項１に記載の体型変化機能を有する下着。
【請求項４】
前身頃の足ぐり部にソフト地が配されたことを特徴とする請求項３に記載の体型変化機能を有する下着。
【請求項５】
太もも部にハード地またはミディアム地が配されたことを特徴とする請求項３又は４に記載の体型変化機能を有する下着。
【請求項６】
腹部にハード地が配されたことを特徴とする請求項３〜５のいずれかに記載の体型変化機能を有する下着。
【考案の詳細な説明】
【技術分野】
【０００１】
本考案は、体型に変化をもたらすことのできる下着、詳しくは、ブラジャー（ロングラインブラジャーを含む）、スリーインワン、ボディスーツ等のトップ用下着や、ショートガードル、ロングガードル、ショートボディスーツ、ロングボディスーツ、スリーインワン、ウエストニッパー等のボトム用下着に関するものである。
【背景技術】
【０００２】
従来、体型を整えるいわゆる体型補整を目的とする下着として、ボディスーツ等のトップ用下着や、ガードル等のボトム用下着がある。これらの下着は、伸縮性生地を用いることにより、体型補整を実現するものである。
【考案の開示】
【考案が解決しようとする課題】
【０００３】
しかしながら、このような下着を着用して体型を補整できたとしても、その効果は着用時にだけあらわれ、下着を脱ぐと再び元の体型に戻ってしまう。
【０００４】
本考案は、上記課題に鑑み、脱いだ後も体型補整効果を維持できる、すなわち体型を変更し改善できる体型変化機能を有する下着を提供することを目的とする。
【課題を解決するための手段】
【０００５】
上記目的を達成するため、本考案は、５１１〜５６０デニールの弾性糸で構成されたハード地、４６０〜５１０デニールの弾性糸で構成されたミディアム地、及び３００〜４００デニールの弾性糸で構成されたソフト地のうち、２種以上を組み合わせることにより、伸縮度の異なる複数の伸縮性生地からなる下着であって、伸縮パワーを付与して体型をへこませたい部分にハード地及び／またはミディアム地を配し、体型に丸みを帯びさせるか、又はゆとりを持たせたい部分にソフト地を配したことを特徴とする体型変化機能を有する下着である。
【０００６】
ここで、「体型をへこませたい部分」とは、体のウエスト部、胴部、腹部、太もも部、二の腕部またはふくらはぎ部のような、細く見せたい部分や、さらにはヒップ部の下縁となる足ぐり部のような、肉を押し上げたい部分が含まれる。ヒップ部の下縁から下垂するヒップの肉を押し上げることにより、ヒップトップ部の位置を高くすることができる。また、「体型に丸みを帯びさせたい部分」とは、バストやヒップトップ部のように、体周方向への高さを保ちたい場所に対応する部分である。
【０００７】
また、ハード地、ミディアム地及びソフト地は、それぞれ布地を構成する弾性糸のデニールの大小により、伸縮性を設定される。すなわち、ハード地を構成する弾性糸のデニールが最も高く設定され、ミディアム地、ソフト地の順にそれらを構成する弾性糸のデニールは小さくなる。それぞれの生地を構成する弾性糸のデニール（太さの単位）は、ハード地で５１１〜５６０デニール、ミディアム地で４６０〜〜５１０デニール、ソフト地で３００〜４００デニールが好ましいが、さらには、ハード地で５２０デニール〜５６０デニール、ミディアム地で４６０〜５００デニール、ソフト地で３４０〜３８０デニールが好ましい。
【０００８】
このように、上記の範囲のハード地、ミディアム地及びソフト地のうち２種以上を組み合わせて、細く見せたい部分や、肉を持ち上げたい部分に対応する位置に、ハード地又はミディアム地を用い、膨らみを持たせたい部分に対応する位置にソフト地を用いることにより、着用時には体型補整ができる。さらに、一定期間着用を継続することにより体型を変更し改善することができる。
【０００９】
下着としては、ブラジャー（ロングラインブラジャーを含む）、スリーインワン、ボディスーツ等のトップ用下着や、ショートガードル、ロングガードル、ショートボディスーツ、ロングボディスーツ、スリーインワン、ウエストニッパー等のボトム用下着が例示されるが、これらに限定されるものではない。
【００１０】
具体的には、トップ用下着としては、胴部、腹部及び二の腕部のうちの１又は２以上の部分にハード地を配し、後身頃の胴部よりも上方又はバストにソフト地を配するが、これに限定されるものではない。胴部、腹部及び二の腕部にハード地を配することにより、その部分を細くすることができると共に、後身頃の胴部よりも上方またはバストにソフト地を配することにより、バストには丸みが出、背部には窮屈感がなくゆとりが出るため、着心地がよいものとなる。
【００１１】
また、ボトム用下着としては、胴部、腹部、後身頃の足ぐり部、太もも部及びふくらはぎ部のうちの１又は２以上にハード地またはミディアム地を配し、ヒップトップ部及び／または前身頃の足ぐり部にソフト地を配するが、これに限定されるものではない。胴部、腹部、後身頃の足ぐり部、太もも部及びふくらはぎ部にハード地を配することにより、その部分を細くすることができ、前身頃の足ぐり部にハード地又はミディアム地を配することにより、ヒップの肉を上方へ押し上げることができる。また、ヒップトップ部にソフト地を配することにより、持ち上げられたヒップに自然な丸みを帯びさせることができる。前身頃の足ぐり部にソフト地を配すれば、ビキニラインにゆとりが出て痛くならないですむ。
【考案の効果】
【００１２】
本考案によると、異なる伸縮度の伸縮性生地を組み合わせることにより、体型補整ができると共に、一定期間着用を継続することにより体型を変更し改善することができる。
【考案を実施するための最良の形態】
【００１３】
以下、本考案の実施形態を図面に基づいて説明する。本下着は、５１１〜５６０デニールの弾性糸から構成されたハード地Ａ、４６０〜５１０デニールの弾性糸で構成されたミディアム地Ｂ、及び３００〜４００デニールの弾性糸で構成されたソフト地Ｃのうち、２種以上を組み合わせることにより、伸縮度の異なる複数の伸縮性生地から構成されてなる体型変化機能を有する下着である。本実施形態においては、ハード地Ａとしては５４０デニール、ミディアム地Ｂとしては４８０デニール、ソフト地Ｃとしては３６０デニールを使用する。
【００１４】
伸縮パワーを付与して体型をへこませたい部分にハードＡ地及び／またはミディアム地Ｂを配し、体型に丸みを帯びさせたり、ゆとりを持たせたい部分にソフト地Ｃを配する。それぞれの生地は、端部同士が縫着されたり、互いの一部を重ねて縫着されたりすることによって、連結される。
【００１５】
以下に、本考案の構成をより具体的に説明する。図１は本考案に係るボディスーツの一例を示す図である。本ボディスーツ１は、前身頃２と、後身頃３と、体の胴部の前面側から腹部にかけてを覆い補強する補強体４と、から構成される。前身頃２と後身頃３との両側縁が互いに縫着されて筒体を形成する。その筒体の内側に補強体４が配されて、補強体４の側縁が前身頃２及び後身頃３に縫着される。前身頃２は、非伸縮性の素材から構成されるが、伸縮性をもたせてもよい。
【００１６】
後身頃３は、背部からヒップ部にかけてを覆う。後身頃３の上端である背部３ａにはソフト地Ｃが配される。着用時に胸部付近をしめつけないので、圧迫感がない。後身頃３の胴部５には、ハード地Ａが配される。胴部５に伸縮率の高いハード地を配することにより、ウエストのくびれを形成することができる。また、胴部５のウエスト部分からヒップ部６のヒップトップ部７にかけてソフト地Ｃが配される。このように、ウエスト部分は、ハード地Ａに加えてソフト地Ｃが重ねられており、より高いパワーを与えることができる。また、ヒップトップ部７は、締め付けられないので、ヒップに自然な丸みを帯びさせることができる。さらにまた、ヒップ部６の下縁を構成する足ぐり部８には、ハード地Ａが配される。ヒップの下垂した肉を上方へ持ち上げ、ヒップアップ効果を発揮することができる。
【００１７】
補強体４は、乳房よりも下方で、胴部の前面側から腹部にかけてを覆い補強する。補強体４の上端にはミディアム地Ｂが配される。着用時に胸部付近をしめつけないので、圧迫感がない。また、腹部９にはハード地Ａが配される。お腹の出を抑えることができる。
【００１８】
図２は本考案に係るキャミソールの一例を示す図である。本キャミソール１０は、前身頃１１と後身頃１２とから構成され、前身頃１１及び後身頃１２は、側端及び肩で連結されている。前身頃は、複数設けられたホックによって開閉自在とされる。
【００１９】
後身頃１２は、略胸の高さよりも上方が背部１３とされ、それよりも下方が胴部１４とされる。背部１３にソフト地Ｃが配され、胴部１４にハード地Ａが配されてなる。胴部１４にハード地Ａを配することにより胴部１４を細くすることができ、また、背部１３にソフト地を配することにより、窮屈感がなくゆとりが出るため、着心地のよいものとできる。
【００２０】
図３は本考案に係るロングガードルの一例を示す図である。本ロングガードル１５は、ショーツ部１６と、左右の太ももを覆う太もも部１７と、から構成される。
【００２１】
ショーツ部１６は、前身頃１８と、後身頃１９とから構成され、前身頃１８と、後身頃１９との両側縁が互いに縫着されて、ショーツ状に形成する。その筒体の下端縁に太もも部１７が縫着される。太もも部１７には、ハード地Ａが配される。太ももを引き締めることができる。
【００２２】
ショーツ部１６の前身頃１８には、ハード地Ａが配され、お腹の出を抑えることができる。また、前身頃１８の足ぐり部１９には、ソフト地Ｃが配置されている。ビキニラインが締め付けられないですむ。
【００２３】
ショーツ部１６の後身頃１９はヒップ部を覆う。後身頃１９の足ぐり部２０には、ハード地Ａが配される。ヒップの下垂した肉を上方へ持ち上げ、ヒップアップ効果を奏することができる。また、後身頃１９のこのヒップトップ部２１にはソフト地Ｃが配される。ヒップトップ部２１にソフト地Ｃを配することにより、持ち上げられたヒップに自然な丸みを帯びさせることができる。また、後身頃１９の側方から上方を囲うようにハード地Ａが配される。
【００２４】
図４は本考案に係るショートガードルの一例を示す図である。ショートガードル２２は、前身頃２３と、後身頃２４とから構成され、前身頃２３と、後身頃２４との両側縁が互いに縫着されて形成される。前身頃２３の腹部２３ａには、ハード地Ａが配され、お腹の出を抑えることができる。腹部２３ａの下部２３ｂにはミディアム地Ｂが配置されている。
【００２５】
後身頃２４はヒップ部を覆う。後身頃２４の足ぐり部２５には、ハード地Ａが配される。ヒップの下垂した肉を上方へ持ち上げ、ヒップアップ効果を奏することができる。また、後身頃２５のこのヒップトップ部２６にはソフト地Ｃが配される。ヒップトップ部２６にソフト地Ｃを配することにより、持ち上げられたヒップに自然な丸みを帯びさせることができる。後身頃２５の上端にはハード地Ａが配される。
【００２６】
次に、上記構成の下着を用いて、（１）体型変化及び（２）体内変化についての評価を行った。いずれの評価においても、上記記載のボディスーツ１を着用し、一定期間ごとに体型などを測定したものである。
【００２７】
（１）体型変化の評価
２０代〜３０代の女性２３人を対象にして、３ヶ月間にわたり、評価試験を行った。評価方法は、各対象者に本下着を着用して日常生活を送ってもらい、着用前、着用１ヵ月後、２ヵ月後、３ヵ月後に、下着を脱いだ状態で体型を測定した。体重、トップバスト、アンダーバスト、ウエスト、ヒップ、太もも、トップバスト高さ、ウエスト高さ、ヒップ高さを測定した。
【００２８】
なお、「トップバスト」とは、乳房の最も高いところの周長であり、「アンダーバスト」とは、乳房のふくらみのすぐ下の周長であり、「ウエスト」とは、ウエストの最もくびれた部分の周長であり、「ヒップ」とは、ヒップの最も高い部分（ヒップトップ）の周長であり、「太もも」とは、太ももの最も太い部分の周長であり、「トップバスト高さ」とは、足元から乳房の最も高いところまでの長さであり、「ウエスト高さ」とは、足元からウエストの最もくびれた部分までの長さであり、「ヒップ高さ」とは、足元からヒップトップまでの長さである。
【００２９】
図５より、体重が若干減少していることが分かる。また、アンダーバストの減少がトップバストの減少よりも大きいことから、バストのカップサイズ（カップ高さ）がアップしていることが分かる。ウエスト及び太ももが減少していることから、めりはりのある体型となっていることが分かる。トップバスト、ウエスト及びヒップの高さがそれぞれ高くなっていることから、下垂が改善していることが分かる。
【００３０】
以上から、下着を取り外した状態でも体型補整効果を維持でき、体型の変化がおきていることが分かる。
【００３１】
（２）体内変化の評価
２０代〜３０代の女性２３人を対象にして、３ヶ月間にわたり、評価試験を行った。評価方法は、各対象者に本下着を着用して日常生活を送ってもらい、着用前、着用１ヵ月後、２ヵ月後、３ヵ月後に測定した。
【００３２】
腹部ＣＴ（Computed Tomogram）を用いて全脂肪面積を測定したところ、２３名中２０名で減少し、平均値は１１０．２ｃｍ２から９９．７ｃｍ２へと減少した、インピーダンス法により体脂肪率を測定したところ、２３名中２０名で減少し、平均値は２５．５％から２３．２％へと減少した。また、デキサ法による全身脂肪測定では、２３名中１３名で減少し、全身筋肉量測定では２３名中８名で増加した。血中脂質レベルは、中性脂肪値が２３名中１８名で減少し、平均値は８３．１ｍｇ／ｄｌから５６．８ｍｇ／ｄｌへと減少した。また、血中遊離脂肪酸及びコレステロール値は上昇した。
【００３３】
結論として、腹部における脂肪量、特に皮下脂肪量が減少していることが認められる。また、血中中性脂肪値も明らかに減少している。このように、本下着は、体内にも良好な変化をもたらすことがわかった。なお、体内変化の起こる仕組みは解明されてはいないが、血中遊離脂肪酸が増加していることから、脂肪組織を分解、遊離脂肪酸を増やしてエネルギー源としている可能性が示唆される。
【図面の簡単な説明】
【００３４】
【図１】本考案に係るボディスーツの一例を示す図であって、（ａ）は側面図、（ｂ）は補強体の側面図、（ｃ）は後身頃を示す図
【図２】本考案に係るキャミソールの一例を示す図であって、（ａ）は斜視図、（ｂ）は展開図、（ｃ）は背面側から見た斜視図
【図３】本考案に係るロングガードル一例を示す図であって、（ａ）は斜視図、（ｂ）は側面図
【図４】本考案に係るショートガードルの一例を示す図であって、（ａ）は側面図、（ｂ）は背面図
【図５】体型変化を示すグラフ
【符号の説明】
【００３５】
１  ボディスーツ
２  キャミソール
３  ロングガードル
４  ショートガードル
【図１】
0003124205.tif 000003
【図２】
0003124205.tif 000004
【図３】
0003124205.tif 000005
【図４】
0003124205.tif 000006
【図５】
0003124205.tif 000007